(57)【要約】【課題】建材や家具、家具用部材等に含まれるホルムアルデヒド等の有害化学物質を除去することができ、しかも、建物に住む人の健康への被害をなくすことができるようにすること。【解決手段】有害化学物質で汚染された物を設置し、該物に含まれる有害化学物質を除去する処理室１が備えられている有害化学物質除去設備を用いる。この設備において、処理室１は、ヒーター１５で加温し、タイマー１８により所定のタイミングで換気が行われるようにしておくとよい。【選択図】      図１
2004353181.tif 000002
【特許請求の範囲】
【請求項１】
ホルムアルデヒド等の有害化学物質で汚染された物を設置する処理室と、
該処理室内の空気を加温する加熱手段と、
処理室内の空気を外気と入れ換える換気手段と
が備えられていることを特徴とするホルムアルデヒド等の有害化学物質除去設備。
【請求項２】
換気停止状態と換気作動状態との切り換えを自動で行う制御手段が備えられている請求項２に記載のホルムアルデヒド等の有害化学物質除去設備。
【請求項３】
前記制御手段が、換気状態をタイマーによる計時に基づいて切り換える制御を行うようになされている請求項２に記載のホルムアルデヒド等の有害化学物質除去設備。
【請求項４】
処理室の加温空気を動かすファンが備えられている請求項１乃至３のいずれか一に記載のホルムアルデヒド等の有害化学物質除去設備。
【請求項５】
ホルムアルデヒド等の有害化学物質で汚染された物を設置し、該物に含まれる有害化学物質を除去する処理室が備えられていることを特徴とするホルムアルデヒド等の有害化学物質除去設備。
【発明の詳細な説明】
【０００１】
【発明の属する技術分野】
本発明は、ホルムアルデヒド等の有害化学物質除去設備に関する。
【０００２】
【従来の技術及び課題】
住宅等の建物の建築に用いられる建具や造作材などの建材、あるいは、家具、家具用部材等が、ホルムアルデヒド等の有害化学物質で汚染されているような場合に、それらの建材や家具が設置された建物の内部でその有害化学物質を除去することは従来より行われている。
【０００３】
しかしながら、その方法では、有害化学物質が除去されるまでの間に、建物に住む人の健康に被害を及ぼしてしまうおそれがある場合がある。
【０００４】
本発明は、そのような問題点に鑑みてなされたものであって、建材や家具、家具用部材等に含まれるホルムアルデヒド等の有害化学物質を除去することができ、しかも、建物に住む人の健康への被害をなくすことができるようにすることを課題とする。
【０００５】
【課題を解決するための手段】
上記の課題は、ホルムアルデヒド等の有害化学物質で汚染された物を設置する処理室と、
該処理室内の空気を加温する加熱手段と、
処理室内の空気を外気と入れ換える換気手段と
が備えられていることを特徴とするホルムアルデヒド等の有害化学物質除去設備によって解決される。
【０００６】
この設備では、有害化学物質で汚染された物を同設備の処理室に設置することで、その物に含まれる有害化学物質を同設備の処理室において除去することができ、建物内部で有害化学物質を除去する場合に比べて、建物に住む人の健康への被害をなくすことができる。
【０００７】
しかも、本発明の設備では、処理室内の空気を加温する加熱手段が備えられているので、加熱手段で処理室内を加温することで、汚染物に含まれている有害化学物質の放散を促進することができ、加えて、換気手段も備えられているので、放散した有害化学物質を外に排出することができて処理室内の空気中の有害化学物質の濃度上昇が抑えられ、有害化学物質の放散をより一層効果的に促進することができ、処理時間を短くすることが可能となる。
【０００８】
上記の設備において、換気停止状態と換気作動状態との切り換えを自動で行う制御手段が備えられているとよい。
【０００９】
この場合は、換気手段が換気停止状態になることで、処理室内を加熱手段で効果的にかつエネルギーコスト的に有利に加温することができると共に、換気手段が換気作動状態に切り換わることで有害化学物質を効率良く排出することができる。しかも、換気状態の切り換えが制御手段により自動で行われるようになされているから、換気状態の切り換えが容易である。
【００１０】
上記の制御手段が、換気状態をタイマーによる計時に基づいて切り換える制御を行うようになされている場合は、有害化学物質を簡素な設備構成で効果的に除去していくことができる。即ち、処理室の容積は既知であり、加熱手段による加温能力も既知であり、気温もそのときどきで既知であるなかで、加温による有害化学物質の放散促進は、加温状態をどの程度時間継続するかが重要であり、それをタイマーで管理することにより、有害化学物質を効果的に除去していくことができる。
【００１１】
処理室の加温空気を動かすファンが備えられている場合は、加熱手段による加温中に、このファンで処理室内の空気を動かすようにすることで、処理室をムラなく加温していくことができ、有害化学物質を処理物からムラなく放散させることができる。
【００１２】
また、上記の課題は、基本的には、ホルムアルデヒド等の有害化学物質で汚染された物を設置し、該物に含まれる有害化学物質を除去する処理室が備えられていることを特徴とするホルムアルデヒド等の有害化学物質除去設備によって解決される。即ち、この設備を用い、有害化学物質で汚染された物を同設備の処理室に設置することで、その物に含まれる有害化学物質を同設備の処理室において除去することができ、建物内部で有害化学物質を除去する場合に比べて、建物に住む人の健康への被害をなくすことができる。
【００１３】
【発明の実施の形態】
次に、本発明の実施形態を図面に基づいて説明する。
【００１４】
図１に示す有害化学物質除去設備において、１は処理室であり、処理室１には、排気口２と空気取入れ口３とが設けられている。空気取入れ口３は、処理室１とその隣室６とを仕切る壁５の低所に設けられ、隣室６と処理室１とを連通している。また、排気口２は、処理室１内を挟むようにして空気取入れ口３の側とは反対側の位置において下天井材７に設けられ、下天井裏空間部８と処理室１とを連通している。
【００１５】
そして、下天井裏空間部８の天面側にはメインダクト９が接続されると共に、メインダクト９はその先端側において、第１、第２の分岐ダクト９ａ，９ｂに分岐され、第１分岐ダクト９ａは隣室６と天面側において連通し、第２分岐ダクト９ｂは外に開放され、メインダクト９には強制排気用の第１ファン１０が設けられると共に、ダクトの分岐部には方向切り換え用のダンパー４が設けられている。また、空気取入れ口３の隣室６側には第２ファン１１が設置され、隣室６の高所の壁には、隣室６と外と連通する給気口１２が設けられ、給気口１２は蓋１３で開閉するようになされている。
【００１６】
これにより、図２に示すように、第１、第２ファン１０，１１が駆動し、給気口１２が蓋１３で閉じられ、ダンパー４がメインダクト９と第１分岐ダクト９ａとを連通させた状態では、処理室１内の空気が、排気口２を通じて、下天井裏空間部８、メインダクト９、第１分岐ダクト９ａ、隣室６、空気取入れ口３を経由して処理室１内に返流される循環流れによる換気停止状態が形成されるようになされている。
【００１７】
その状態から、図３に示すように、第１、第２ファン１０，１１を駆動したまま、給気口１２の蓋１３が開かれ、ダンパー４がメインダクト９と第２分岐ダクト９ｂとを連通させた状態に切り換わると、処理室１内の空気は、排気口２を通じて、下天井裏空間部８、メインダクト９、第２分岐ダクト９ｂを通じて外に排気され、この排気に対応する処理室１内への空気の取入れは、外の空気が、給気口１２、隣室６、空気取入れ口３を通じて行われる換気作動状態が形成されるようになされている。
【００１８】
即ち、本実施形態では、上記のような空気の循環流れにおいて、ダンパー４と、給気口１２、蓋１３とが、循環する空気を外気と入れ換える換気手段を構成している。
【００１９】
そして、隣室６の低所には、加熱手段としてヒーター１５が設置され、上記の換気停止状態では、循環流れをする空気がヒーター１５によって加温されていき、処理室１内の温度を高くしていく一方、上記の換気作動状態では、こうして温度の高められた処理室１内の空気が、下天井裏空間部８、メインダクト９、第２分岐ダクト９ｂを通じて外に排気され、それに替えて外気が給気口１２を通じて隣室６、空気取入れ口３を通じて処理室１内に送り込まれて、処理室１内の換気が行われる。
【００２０】
また、本実施形態では、給気口１２の蓋１３の開閉、及びダンパー４の方向切り換えを自動で制御する制御手段としての制御部１４が備えられ、この制御部１４にはタイマー１８が備えられて、制御部１４が、タイマー１８による計時に基づいて、換気状態を停止か作動かに切り換える制御を行うようになされている。
【００２１】
上記の設備では、図２に示すように、例えば建具材や造作材などの建材１６…を台車１７に載せて処理室１内に設置し、ダンパー４でメインダクト９と第１分岐ダクト９ａとを連通させ、蓋１３で給気口１２を閉じ、ヒーター１５を駆動し、第１、第２の各ファン１０，１１を駆動して空気の循環流れを形成すると、処理室１内の温度が加温されていき、それによって、建材１６…からのホルムアルデヒド等の有害化学物質の放散が促進され、空気中の有害化学物質の濃度が短時間で高められていく。その際、ヒーター１５の加温対象は、循環流れをする空気であるので、加温に要するエネルギーコストを低く抑えることができると共に、空気を効率良く加温していくことができる。
【００２２】
そして、タイマー１８の計時によって所定の一定時間が経過すると、制御部１４からの指令により、図３に示すように、ダンパー４が作動してメインダクト９と第２分岐ダクト９ｂとが連通し、蓋１３が開いて給気口１２が開き、それによって、有害化学物質を含んだ空気が外に排気されると共に、外気が取り入れられて、処理室１内の空気が換気される。その後、タイマー１８の計時に基づいて換気停止状態に切り替わり、図２に示すような循環流れが再形成されて、有害化学物質の促進的な放散が繰り返されていく。
【００２３】
このように、上記の設備を用いて有害化学物質の除去を行えば、建物内部で有害化学物質の除去を行う場合に比べて、建物に住む人の健康への被害をなくすことができる。
【００２４】
また、上記の設備では、ヒーター１５は、隣室６に備えられ、空気取入れ口３から処理室１内に送り込まれる前の循環空気を加温するようになされているので、空気の循環流れにおいて、処理室１にヒーター１５を備えさせて加温を行うような場合に比べて、加温された空気を処理室１にムラ少なく広がらせることができ、処理室１内の建材１６…からの有害化学物質の放散をムラの少ないものにすることができる。
【００２５】
更に、処理室１の低所に空気取入れ口３を設けて空気が横向きに吹き出すようにし、空気取入れ口３から離れた高所に排気口２を設ける構造としているので、加温された空気が処理室１内の低所から高所へと、また、広い範囲にわたってムラ少なく行きわたり、建材１６…からの有害化学物質の放散をこの面からも効果的に促進することができる。
【００２６】
以上に、本発明の実施形態を示したが、本発明はこれに限られるものではなく、発明思想を逸脱しない範囲で各種の変更が可能である。例えば、換気の停止、作動の切換えを手動で行う設備構成としてもよい。また、換気手段による換気は、ファンを用いた強制換気であってもよいし、自然換気であってもよい。また、処理室内の空気を動かすファンを省略し、ヒーターの熱による対流作用で空気を動かすようにしてもよい。また、上記の実施形態では、有害化学物質の放散を促進するため、処理室内の空気を加温するヒーターを備えさせた場合を示しているが、ヒーター等の加熱手段を用いない除去設備に構成してもよい。また、本発明の設備による処理対象は、建材に限らず、家具や家具用の部材などであってもよく、要は、ホルムアルデヒド等の有害化学物質で汚染された各種の物であってよい。
【００２７】
【発明の効果】
本発明は、以上のとおりのものであるから、建材や家具、家具用部材等に含まれるホルムアルデヒド等の有害化学物質を除去することができ、しかも、建物に住む人の健康への被害をなくすことができる。
【図面の簡単な説明】
【図１】実施形態の設備を示す断面側面図である。
【図２】同設備の換気停止中の作動状態を示す断面側面図である。
【図３】同設備の換気中の作動状態を示す断面側面図である。
【符号の説明】
１…処理室
４…ダンパー（換気手段）
１０…第１ファン
１１…第２ファン
１２…給気口（換気手段）
１３…蓋（換気手段）
１４…制御部（制御手段）
１５…ヒーター（加熱手段）
１６…建材
１８…タイマー
【図１】
2004353181.tif 000003
【図２】
2004353181.tif 000004
【図３】
2004353181.tif 000005